【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
ベアラ識別子を割り当てるための方法であって、
第1の通信ネットワークにおけるアクセス及びモビリティ管理ネットワークエレメントにより、前記第1の通信ネットワークにおけるパケットデータユニット(PDU)セッション内の専用フローを確立するための手順において、前記第1の通信ネットワークにおけるセッション管理ネットワークエレメントからベアラ識別子付与要求メッセージを受信するステップと、
前記アクセス及びモビリティ管理ネットワークエレメントにより、第2の通信ネットワークにおける専用ベアラにベアラ識別子を割り当てるステップであり、前記第2の通信ネットワークにおける前記専用ベアラは、前記第1の通信ネットワークにおける前記専用フローに対応し、前記第1の通信ネットワークは5G通信ネットワークであり、前記第2の通信ネットワークは4.5G又は4G通信ネットワークである、ステップと、
前記アクセス及びモビリティ管理ネットワークエレメントにより、ベアラ識別子付与応答メッセージを前記セッション管理ネットワークエレメントに送信するステップであり、前記ベアラ識別子付与応答メッセージは前記ベアラ識別子を含む、ステップと
を含む方法。
【請求項２】
前記アクセス及びモビリティ管理ネットワークエレメントにより、前記第1の通信ネットワークにおけるアクセスネットワークデバイスからハンドオーバ要求を受信するステップであり、前記ハンドオーバ要求は、前記第1の通信ネットワークから前記第2の通信ネットワークに端末をハンドオーバすることを要求する、ステップと、
前記アクセス及びモビリティ管理ネットワークエレメントにより、セッションコンテキスト要求メッセージを前記セッション管理ネットワークエレメントに送信するステップと、
前記アクセス及びモビリティ管理ネットワークエレメントにより、前記セッション管理ネットワークエレメントからセッションコンテキスト応答メッセージを受信するステップであり、前記セッションコンテキスト応答メッセージは前記ベアラ識別子を含む、ステップと
を更に含む、請求項１に記載の方法。
【請求項３】
前記アクセス及びモビリティ管理ネットワークエレメントにより、再配置要求を前記第2の通信ネットワークにおけるモビリティ管理エンティティに送信するステップであり、前記再配置要求は、前記モビリティ管理エンティティに対して、第2の通信ネットワークにおいてサービングゲートウェイを再選択するように命令する指示情報を含む、ステップを更に含む、請求項２に記載の方法。
【請求項４】
前記指示情報は、サービングゲートウェイのアドレス情報である、請求項３に記載の方法。
【請求項５】
前記アクセス及びモビリティ管理ネットワークエレメントにより、端末から登録要求メッセージを受信するステップであり、前記登録要求メッセージは、前記端末が前記第1の通信ネットワーク及び前記第2の通信ネットワークにおいて通信を実行する能力を有することを示す指示情報を含む、ステップを更に含む、請求項１乃至４のうちいずれか１項に記載の方法。
【請求項６】
前記第1の通信ネットワークにおける前記PDUセッション内の前記専用フローを確立するための前記手順は、
前記第1の通信ネットワークにおける前記PDUセッション内の前記専用フローを確立するための端末で開始される手順、又は
前記第1の通信ネットワークにおける前記PDUセッション内の前記専用フローを確立するためのネットワーク側で開始される手順
を含む、請求項１乃至５のうちいずれか１項に記載の方法。
【請求項７】
前記アクセス及びモビリティ管理ネットワークエレメントにより、前記ベアラ識別子付与要求メッセージを受信する前に、当該方法は、
前記アクセス及びモビリティ管理ネットワークエレメントにより、端末からPDUセッション変更要求メッセージを受信するステップと、
前記アクセス及びモビリティ管理ネットワークエレメントにより、PDUセッション変更要求メッセージを前記セッション管理ネットワークエレメントに送信するステップと
を更に含む、請求項１乃至５のうちいずれか１項に記載の方法。
【請求項８】
前記アクセス及びモビリティ管理ネットワークエレメントにより、前記ベアラ識別子付与応答メッセージを前記セッション管理ネットワークエレメントに送信した後に、当該方法は、
前記アクセス及びモビリティ管理ネットワークエレメントにより、前記セッション管理ネットワークエレメントからPDUセッション変更受付メッセージを受信するステップであり、前記PDUセッション変更受付メッセージは、前記ベアラ識別子と、前記セッション管理ネットワークエレメントにより前記専用フローに割り当てられたフロー識別子とを含む、ステップを更に含む、請求項７に記載の方法。
【請求項９】
前記PDUセッション変更受付メッセージは、前記専用フローに対応するサービス品質(QoS)パラメータと、前記専用ベアラに対応するQoSパラメータとを更に含む、請求項８に記載の方法。
【請求項１０】
前記アクセス及びモビリティ管理ネットワークエレメントにより、PDUセッション変更受付メッセージを前記端末に送信するステップであり、前記PDUセッション変更受付メッセージは、前記ベアラ識別子と、前記フロー識別子とを含む、請求項８に記載の方法。
【請求項１１】
第1の通信ネットワークにおけるパケットデータユニット(PDU)セッション内の専用フローを確立するための手順において、前記第1の通信ネットワークにおけるセッション管理ネットワークエレメントからベアラ識別子付与要求メッセージを受信するように構成された受信ユニットと、
第2の通信ネットワークにおける専用ベアラにベアラ識別子を割り当てるように構成された割り当てユニットであり、前記第2の通信ネットワークにおける前記専用ベアラは、前記第1の通信ネットワークにおける前記専用フローに対応し、前記第1の通信ネットワークは5G通信ネットワークであり、前記第2の通信ネットワークは4.5G又は4G通信ネットワークである、割り当てユニットと、
ベアラ識別子付与応答メッセージを前記セッション管理ネットワークエレメントに送信するように構成された送信ユニットであり、前記ベアラ識別子付与応答メッセージは前記ベアラ識別子を含む、送信ユニットと
を含む装置。
【請求項１２】
前記受信ユニットは、前記第1の通信ネットワークにおけるアクセスネットワークデバイスからハンドオーバ要求を受信するように更に構成され、前記ハンドオーバ要求は、前記第1の通信ネットワークから前記第2の通信ネットワークに端末をハンドオーバすることを要求し、
前記送信ユニットは、セッションコンテキスト要求メッセージを前記セッション管理ネットワークエレメントに送信するように更に構成され、
前記受信ユニットは、前記セッション管理ネットワークエレメントからセッションコンテキスト応答メッセージを受信するように更に構成され、前記セッションコンテキスト応答メッセージは前記ベアラ識別子を含む、請求項１１に記載の装置。
【請求項１３】
前記送信ユニットは、再配置要求を前記第2の通信ネットワークにおけるモビリティ管理エンティティに送信するように更に構成され、前記再配置要求は、前記モビリティ管理エンティティに対して、第2の通信ネットワークにおいてサービングゲートウェイを再選択するように命令する指示情報を含む、請求項１２に記載の装置。
【請求項１４】
前記指示情報は、サービングゲートウェイのアドレス情報である、請求項１３に記載の装置。
【請求項１５】
前記受信ユニットは、端末から登録要求メッセージを受信するように更に構成され、前記登録要求メッセージは、前記端末が前記第1の通信ネットワーク及び前記第2の通信ネットワークにおいて通信を実行する能力を有することを示す指示情報を含む、請求項１１乃至１４のうちいずれか１項に記載の装置。
【請求項１６】
前記第1の通信ネットワークにおける前記PDUセッション内の前記専用フローを確立するための前記手順は、
前記第1の通信ネットワークにおける前記PDUセッション内の前記専用フローを確立するための端末で開始される手順、又は
前記第1の通信ネットワークにおける前記PDUセッション内の前記専用フローを確立するためのネットワーク側で開始される手順
を含む、請求項１１乃至１５のうちいずれか１項に記載の装置。
【請求項１７】
前記受信ユニットは、前記受信ユニットが前記ベアラ識別子付与要求メッセージを受信する前に、端末からPDUセッション変更要求メッセージを受信するように更に構成され、
前記送信ユニットは、PDUセッション変更要求メッセージを前記セッション管理ネットワークエレメントに送信するように更に構成される、請求項１１乃至１５のうちいずれか１項に記載の装置。
【請求項１８】
前記受信ユニットは、前記送信ユニットが前記ベアラ識別子付与応答メッセージを送信した後に、前記セッション管理ネットワークエレメントからPDUセッション変更受付メッセージを受信するように更に構成され、前記PDUセッション変更受付メッセージは、前記ベアラ識別子と、前記セッション管理ネットワークエレメントにより前記専用フローに割り当てられたフロー識別子とを含む、請求項１７に記載の装置。
【請求項１９】
前記PDUセッション変更受付メッセージは、前記専用フローに対応するサービス品質(QoS)パラメータと、前記専用ベアラに対応するQoSパラメータとを更に含む、請求項１８に記載の装置。
【請求項２０】
前記送信ユニットは、PDUセッション変更受付メッセージを前記端末に送信するように更に構成され、前記PDUセッション変更受付メッセージは、前記ベアラ識別子と、前記フロー識別子とを含む、請求項１８に記載の装置。
【請求項２１】
通信方法であって、
第1の通信ネットワークにおけるセッション管理ネットワークエレメントにより、前記第1の通信ネットワークにおけるパケットデータユニット(PDU)セッション内の専用フローを確立するための手順において、ベアラ識別子付与要求メッセージを前記第1の通信ネットワークにおけるアクセス及びモビリティ管理ネットワークエレメントに送信するステップと、
前記セッション管理ネットワークエレメントにより、前記専用フローにフロー識別子を割り当てるステップと、
前記セッション管理ネットワークエレメントにより、前記アクセス及びモビリティ管理ネットワークエレメントからベアラ識別子付与応答メッセージを受信するステップであり、前記ベアラ識別子付与応答メッセージは、第2の通信ネットワークにおける専用ベアラのベアラ識別子を含み、前記ベアラ識別子は、前記アクセス及びモビリティ管理ネットワークエレメントにより割り当てられ、前記第2の通信ネットワークにおける前記専用ベアラは、前記第1の通信ネットワークにおける前記専用フローに対応し、前記第1の通信ネットワークは5G通信ネットワークであり、前記第2の通信ネットワークは4.5G又は4G通信ネットワークである、ステップと、
前記セッション管理ネットワークエレメントにより、前記アクセス及びモビリティ管理ネットワークエレメントを通じて、前記ベアラ識別子及び前記フロー識別子を端末に送信するステップと
を含む方法。
【請求項２２】
前記第1の通信ネットワークにおける前記PDUセッション内の前記専用フローを確立するための前記手順は、
前記第1の通信ネットワークにおける前記PDUセッション内の前記専用フローを確立するための端末で開始される手順、又は
前記第1の通信ネットワークにおける前記PDUセッション内の前記専用フローを確立するためのネットワーク側で開始される手順
を含む、請求項２１に記載の方法。
【請求項２３】
前記セッション管理ネットワークエレメントにより、前記ベアラ識別子付与要求メッセージを送信する前に、当該方法は、
前記セッション管理ネットワークエレメントにより、前記アクセス及びモビリティ管理ネットワークエレメントからPDUセッション変更要求メッセージを受信するステップを含み、
前記セッション管理ネットワークエレメントにより、前記アクセス及びモビリティ管理ネットワークエレメントを通じて、前記ベアラ識別子及び前記フロー識別子を前記端末に送信するステップは、
前記セッション管理ネットワークエレメントにより、前記アクセス及びモビリティ管理ネットワークエレメントを通じて、PDUセッション変更受付メッセージを前記端末に送信するステップであり、前記PDUセッション変更受付メッセージは、前記ベアラ識別子と、前記フロー識別子とを含む、ステップを含む、請求項２１に記載の方法。
【請求項２４】
前記セッション管理ネットワークエレメントにより、前記フローに対応するサービス品質(QoS)パラメータと、前記ベアラに対応するQoSパラメータとを取得するステップであり、前記PDUセッション変更受付メッセージは、前記専用フローに対応する前記QoSパラメータと、前記専用ベアラに対応する前記QoSパラメータとを更に含む、ステップを更に含む、請求項２３に記載の方法。
【請求項２５】
第1の通信ネットワークにおけるパケットデータユニット(PDU)セッション内の専用フローを確立するための手順において、ベアラ識別子付与要求メッセージを前記第1の通信ネットワークにおけるアクセス及びモビリティ管理ネットワークエレメントに送信するように構成された送信ユニットと、
前記専用フローにフロー識別子を割り当てるように構成された取得ユニットと、
前記アクセス及びモビリティ管理ネットワークエレメントからベアラ識別子付与応答メッセージを受信するように構成された受信ユニットであり、前記ベアラ識別子付与応答メッセージは、第2の通信ネットワークにおける専用ベアラのベアラ識別子を含み、前記ベアラ識別子は、前記アクセス及びモビリティ管理ネットワークエレメントにより割り当てられ、前記第2の通信ネットワークにおける前記専用ベアラは、前記第1の通信ネットワークにおける前記専用フローに対応し、前記第1の通信ネットワークは5G通信ネットワークであり、前記第2の通信ネットワークは4.5G又は4G通信ネットワークである、受信ユニットと
を含み、
前記送信ユニットは、前記アクセス及びモビリティ管理ネットワークエレメントを通じて、前記ベアラ識別子及び前記フロー識別子を端末に送信するように更に構成される、装置。
【請求項２６】
前記第1の通信ネットワークにおける前記PDUセッション内の前記専用フローを確立するための前記手順は、
前記第1の通信ネットワークにおける前記PDUセッション内の前記専用フローを確立するための端末で開始される手順、又は
前記第1の通信ネットワークにおける前記PDUセッション内の前記専用フローを確立するためのネットワーク側で開始される手順
を含む、請求項２５に記載の装置。
【請求項２７】
前記受信ユニットは、前記送信ユニットが前記ベアラ識別子付与要求メッセージを送信する前に、前記アクセス及びモビリティ管理ネットワークエレメントからPDUセッション変更要求メッセージを受信するように更に構成され、
前記送信ユニットは、前記アクセス及びモビリティ管理ネットワークエレメントを通じて、PDUセッション変更受付メッセージを前記端末に送信するように構成され、前記PDUセッション変更受付メッセージは、前記ベアラ識別子と、前記フロー識別子とを含む、請求項２５に記載の装置。
【請求項２８】
前記取得ユニットは、前記専用フローに対応するサービス品質(QoS)パラメータと、前記専用ベアラに対応するQoSパラメータとを取得するように更に構成され、前記PDUセッション変更受付メッセージは、前記専用フローに対応する前記QoSパラメータと、前記専用ベアラに対応する前記QoSパラメータとを更に含む、請求項２７に記載の装置。
【請求項２９】
メモリに結合された少なくとも1つのプロセッサを含む装置であって、
前記少なくとも1つのプロセッサは、前記メモリに記憶された命令を実行し、前記装置が請求項１乃至１０のうちいずれか１項に記載のステップを実行することを可能にするように構成される、装置。
【請求項３０】
メモリに結合された少なくとも1つのプロセッサを含む装置であって、
前記少なくとも1つのプロセッサは、前記メモリに記憶された命令を実行し、前記装置が請求項２１乃至２４のうちいずれか１項に記載のステップを実行することを可能にするように構成される、装置。
【請求項３１】
請求項１乃至１０のうちいずれか１項に記載の方法を実行するように構成されたアクセス及びモビリティ管理ネットワークエレメントと、
請求項２１乃至２４のうちいずれか１項に記載の方法を実行するように構成されたセッション管理ネットワークエレメントと
を含む通信システム。
【請求項３２】
請求項１１乃至２０のうちいずれか１項に記載の装置と、
前記装置と通信するためのセッション管理ネットワークエレメントと
を含む通信システム。
【請求項３３】
コンピュータ上で実行されたときに、前記コンピュータが請求項１乃至１０のうちいずれか１項に記載の方法を実行することを可能にするコンピュータ読み取り可能命令を含むコンピュータ読み取り可能記憶媒体。
【請求項３４】
コンピュータ上で実行されたときに、前記コンピュータが請求項２１乃至２４のうちいずれか１項に記載の方法を実行することを可能にするコンピュータ読み取り可能命令を含むコンピュータ読み取り可能記憶媒体。
【手続補正２】
【補正対象書類名】明細書
【補正対象項目名】発明の名称
【補正方法】変更
【補正の内容】
【発明の名称】ベアラ識別子を割り当てるための方法、装置、通信システム及びコンピュータ読み取り可能記憶媒体
【手続補正３】
【補正対象書類名】明細書
【補正対象項目名】０００１
【補正方法】変更
【補正の内容】
【０００１】
この出願の実施形態は、通信分野に関し、より具体的には、ベアラ識別子を割り当てるための方法、装置、通信システム及びコンピュータ読み取り可能記憶媒体に関する。
【手続補正４】
【補正対象書類名】明細書
【補正対象項目名】００２７
【補正方法】変更
【補正の内容】
【００２７】
第5の態様によれば、セッション管理デバイスが提供される。当該デバイスは、端末のDNNに対応するPDUセッション内のフローのフロー識別子を取得し、端末のAPNに対応するPDN接続内のベアラのベアラ識別子を取得するように構成された取得ユニットであり、DNNは第1の通信ネットワークにおける端末の加入データ内のDNNであり、APNは第2の通信ネットワークにおける端末の加入データ内のAPNである、取得ユニットと、ベアラ識別子及びフロー識別子をアクセス及びモビリティ管理ネットワークエレメントに送信するように構成された送信ユニットとを含む。
【手続補正５】
【補正対象書類名】明細書
【補正対象項目名】００３６
【補正方法】変更
【補正の内容】
【００３６】
ユーザプレーン機能ネットワークエレメントは、ユーザプレーン機能(User  Plane  Function,  UPF)と、パケットデータネットワークゲートウェイ・ユーザプレーン(Packet  Data  Network  Gateway-User  plane,  PGW-U)とを含む。UPF及びPGW-Uは一体的に配置される。PGW-U機能がUPFに追加されてもよく、或いはUPF機能がPGW-Uに追加されてもよく、或いはUPFとPGW-U機能との双方が他のデバイスに実現されてもよい。図１において、ユーザプレーン機能ネットワークエレメントは、UPF+PGW-Uを使用することにより表される。
【手続補正６】
【補正対象書類名】明細書
【補正対象項目名】００６０
【補正方法】変更
【補正の内容】
【００６０】
任意選択で、この実施形態における方法は、以下のことを更に含む。アクセス及びモビリティ管理ネットワークエレメントは、アクセスネットワークデバイスにより送信されたハンドオーバ要求を受信し、アクセス及びモビリティ管理ネットワークエレメントは、セッションコンテキスト要求メッセージをセッション管理ネットワークエレメントに送信し、アクセス及びモビリティ管理ネットワークエレメントは、セッション管理ネットワークエレメントにより送信されたセッションコンテキスト応答メッセージを受信し、セッションコンテキスト応答メッセージは、PDN接続内のデフォルトベアラのベアラ識別子及びポリシー及び課金制御((Policy  and  Charging  Control,  PCC)ルール(rule)、及び/又はPDN接続内の専用ベアラのベアラ識別子及びPCCルールを含み、アクセス及びモビリティ管理ネットワークエレメントは、再配置要求をモビリティ管理エンティティに送信し、再配置要求は指示情報を含み、指示情報は、モビリティ管理エンティティに対してサービスゲートウェイを再選択するように命令するために使用される。任意選択で、モビリティ管理エンティティに対してサービングゲートウェイを再選択するように命令するために、サービングゲートウェイのアドレス情報は、0.0.0.0に設定されてもよい。
【手続補正７】
【補正対象書類名】明細書
【補正対象項目名】００７６
【補正方法】変更
【補正の内容】
【００７６】
任意選択で、この実施形態における方法は、以下のことを更に含んでもよい。セッション管理ネットワークエレメントは、ポリシー及び課金ネットワークエレメントにより送信されたPDU-CANセッション変更要求メッセージを受信し、PDU-CANセッション変更応答メッセージは、第1の通信ネットワークにおける端末のポリシー及び課金制御PCCルールと、第2の通信ネットワークにおける端末のポリシー及び課金制御PCCルールとを含む。任意選択で、ポリシー及び課金ネットワークエレメントはPCFである。
【手続補正８】
【補正対象書類名】明細書
【補正対象項目名】０２２８
【補正方法】変更
【補正の内容】
【０２２８】
図１２は、この出願の実施形態によるポリシー及び課金制御デバイスの概略構造図である。ポリシー及び課金制御デバイスは、取得ユニット1201と、送信ユニット1202と、受信ユニット1203とを含む。任意選択で、取得ユニット1201は、ポリシー及び課金制御デバイスのプロセッサでもよく、送信ユニット1202及び受信ユニット1203は、情報を受信及び送信するように構成されたポリシー及び課金制御デバイスの通信インタフェースでもよい。具体的には、送信ユニット1202及び受信ユニット1203については、図１に示す通信アーキテクチャにおけるポリシー及び課金ネットワークエレメントの通信インタフェースを参照する。
【手続補正９】
【補正対象書類名】明細書
【補正対象項目名】０２３５
【補正方法】変更
【補正の内容】
【０２３５】
この実施形態における取得ユニット1201は、図２〜図９の実施形態におけるポリシー及び課金制御ネットワークエレメントのデータ及び信号処理に関する機能を実現するように更に構成される。送信ユニット1202及び受信ユニット1203は、図２〜図９の実施形態におけるポリシー及び課金ネットワークエレメントの情報受信及び送信に関する機能を実現するように更に構成される。